(57)【要約】【課題】  本発明は、極めて商品価値の高い画期的なデジタル角度センサー並びに測定装置並びに鉄道用ゲージを提供することを目的とする。【解決手段】  容体１内の液体をもとに傾斜角度を測定する構成のデジタル角度センサー２の前記容体１に面状発熱体４を設けたものである。【選択図】      図２
2005291801.tif 000002
【特許請求の範囲】
【請求項１】
容体内の液体をもとに傾斜角度を測定する構成のデジタル角度センサーの前記容体に面状発熱体を設けたことを特徴とするデジタル角度センサー。
【請求項２】
前記容体に温度センサーを設けたことを特徴とする請求項１記載のデジタル角度センサー。
【請求項３】
前記請求項１，２のいずれか１項に記載のデジタル角度センサーを具備することを特徴とする鉄道用ゲージ。
【請求項４】
容体内の液体をもとに傾斜角度を測定する構成のデジタル角度センサーを収納する収納体内に面状発熱体を設けたことを特徴とする測定装置。
【請求項５】
前記容体に面状発熱体を設けたことを特徴とする請求項４記載の測定装置。
【請求項６】
前記容体に温度センサーを設けたことを特徴とする請求項４，５のいずれか１項に記載の測定装置。
【請求項７】
前記請求項４〜６のいずれか１項に記載の測定装置を具備することを特徴とする鉄道用ゲージ。
【発明の詳細な説明】
【技術分野】
【０００１】
本発明は、デジタル角度センサー並びに測定装置並びに鉄道用ゲージに関するものである。
【背景技術】
【０００２】
従来から、容体内の液体をもとに傾斜角度を測定する構成のデジタル角度センサーが種々提案されている。
【０００３】
例えば図４，５に図示したように容体１内を区画し、この各区画Ｒ１，Ｒ２に対する該容体１内に封入された液体Ｌの面積比の変化により傾斜を測定するタイプのものや、容体１内に封入された液体Ｌの液面に浮設したフロートの傾動により傾斜を測定するものなど様々である。尚、本実施例と同一構成部分には同一符号を付した。
【発明の開示】
【発明が解決しようとする課題】
【０００４】
ところで、この液体を利用した構造のデジタル角度センサーは、屋外で使用する作業、例えば鉄道用レールの水平度（傾斜角度）を測定する作業に使用される鉄道用ゲージにも具備されるが、この作業が寒冷地などの寒い環境下において行われた際、液体が膨張することで精度が狂ってしまうなど、設計時には想定されていない特に寒い環境下では誤差が生じてしまう場合がある。
【０００５】
本出願人等は、上述した問題点に着目し、種々の実験・研究を繰り返し行った結果、極めて商品価値の高い画期的なデジタル角度センサー並びに測定装置並びに鉄道用ゲージを開発した。
【課題を解決するための手段】
【０００６】
添付図面を参照して本発明の要旨を説明する。
【０００７】
容体１内の液体をもとに傾斜角度を測定する構成のデジタル角度センサー２の前記容体１に面状発熱体４を設けたことを特徴とするデジタル角度センサーに係るものである。
【０００８】
また、前記容体１に温度センサーを設けたことを特徴とする請求項１記載のデジタル角度センサーに係るものである。
【０００９】
また、前記請求項１，２のいずれか１項に記載のデジタル角度センサーを具備することを特徴とする鉄道用ゲージに係るものである。
【００１０】
また、容体１内の液体をもとに傾斜角度を測定する構成のデジタル角度センサー２を収納する収納体３内に面状発熱体４を設けたことを特徴とする測定装置に係るものである。
【００１１】
また、前記容体１に面状発熱体４を設けたことを特徴とする請求項４記載の測定装置に係るものである。
【００１２】
また、前記容体１に温度センサーを設けたことを特徴とする請求項４，５のいずれか１項に記載の測定装置に係るものである。
【００１３】
また、前記請求項４〜６のいずれか１項に記載の測定装置を具備することを特徴とする鉄道用ゲージに係るものである。
【発明の効果】
【００１４】
本発明は上述のように構成したから、デジタル角度センサーにおける測定に適した適正温度を保持することができ、常に高精度な測定が行えることになるなど極めて商品価値の高い画期的なデジタル角度センサー並びに測定装置並びに鉄道用ゲージとなる。
【発明を実施するための最良の形態】
【００１５】
好適と考える本発明の実施形態を、図面に基づいて本発明の作用を示して簡単に説明する。
【００１６】
本発明は、容体１内の液体をもとに傾斜角度を測定する構成のデジタル角度センサー２の前記容体１に面状発熱体４を設けている。
【００１７】
従って、例えば寒い環境下で使用しても面状発熱体４により容体１内の液体が膨張したりすることが無く、常にデジタル角度センサー２における測定に適した適正温度を保持することができ高精度の調査が行えることになる。
【００１８】
また、このデジタル角度センサー２を適温に保持するものとして面状発熱体４を採用したから、装置自体の大型化を可及的に防止することができる。
【実施例】
【００１９】
本発明の具体的な実施例について図面に基づいて説明する。
【００２０】
本実施例は、容体１内の液体Ｌをもとに傾斜角度を測定する構成のデジタル角度センサー２を収納する収納体３内に面状発熱体４を設けたものである。
【００２１】
具体的には、本実施例は、図１に図示したように鉄道用レールの水平度を測定する作業に使用される長尺の鉄道用ゲージ５に具備せしめられる測定装置６として構成されており、図２に図示したように樹脂製の半割体３ａ，３ｂから成る収納体３に後述するデジタル角度センサー２を収納した周知構造のものであり、デジタル角度センサー２は表面に各種機能を制御する制御部（コンピュータ）を具備した電子回路が形成された基板７に付設され、このデジタル角度センサー２で測定された内容（測定結果）は、電子回路を通じて収納体３の正面に設けた表示部８で表示されるように構成されている。
【００２２】
尚、鉄道用ゲージ５に具備せしめられる測定装置６は、このデジタル角度センサー２による角度測定機能の他にも、例えば長さ測定機能等、別途種々の機能が具備される。
【００２３】
符号９は角度測定装置６を操作する操作部である。
【００２４】
デジタル角度センサー２は、前述した周知構造のもので、伝熱製素材（金属）で形成された容体１内の液体Ｌ（非電解質の液体）をもとに傾斜角度を測定するように構成されており、図４，５に図示したように容体１内を区画し、この各区画Ｒ１，Ｒ２（左右対称の静電プレート）に対する該容体１内に封入された液体Ｌの面積比の変化により傾斜を測定する（左右の静電プレートに接する液面の面積の違いに比例した左右の静電容量の変化により傾斜角を電圧として検出する）ように構成されている。
【００２５】
尚、デジタル角度センサー２は、容体１内の液体Ｌをもとに傾斜角度を測定する構成のものであって、本実施例の特性を発揮する構成であれば前述した構造に限られるものではない。
【００２６】
本実施例は、このデジタル角度センサー２に係る容体１に面状発熱体４を設けている。
【００２７】
この面状発熱体４は、図３に図示したように樹脂フィルム４ａ上に適宜な金属箔をエッチング処理して蛇行形状の金属発熱部４ｂを形成したものであり、この金属発熱部４ｂは、その両端部の接続端子４ｂ’を図示省略の電気部に接続して通電した際、金属箔の抵抗により発熱するように構成されており、この金属発熱部４ｂの接続端子４ｂ’は前述した電子回路に接続され、デジタル角度センサー２を作動させる電気でもって発熱することになる。
【００２８】
この面状発熱体４は、樹脂フィルム４ａの表面に形成される粘着部を利用して容体１の外面に貼着されている。
【００２９】
従って、このデジタル角度センサー２は寒い環境下であっても面状発熱体４により適正温度に保持されることになる。
【００３０】
尚、本実施例は、面状発熱体４をデジタル角度センサー２を構成する容体１に直接貼着したが、要はデジタル角度センサー２を適正温度に保持する構成であれば良く、例えば測定装置６を構成する収納体３の内面に貼着して収納体３内の雰囲気を暖めて容体１を暖めるなど適宜設計変更し得るものである。
【００３１】
また、本実施例は温度センサー（図示省略）を設けている。
【００３２】
この温度センサーは、デジタル角度センサー２に係る容体１や該容体１内に封入される液体Ｌやその周辺などの温度を測定（デジタル角度センサー２が正常に機能する温度か否かを測定）するものであり、この温度センサーの温度測定をもとに制御部によって面状発熱体４を適宜ＯＮ・ＯＦＦさせることで面状発熱体４の加熱異常を防止するなど、面状発熱体４を制御することでデジタル角度センサー２を常に適正温度に保持し得るように構成されている。
【００３３】
本実施例は上述のように構成したから、例えば寒い環境下で使用しても面状発熱体４により容体１内の液体が膨張したりすることが無く、常にデジタル角度センサー２における測定に適した適正温度を保持することができ高精度の調査が行えることになる。
【００３４】
また、本実施例は、このデジタル角度センサー２を適温に保持するものとして面状発熱体４を採用したから、装置自体の大型化を可及的に防止することができる。
【００３５】
尚、本発明は、本実施例に限られるものではなく、各構成要件の具体的構成は適宜設計し得るものである。
【図面の簡単な説明】
【００３６】
【図１】本実施例に係る要部の説明図である。
【図２】本実施例に係る要部の分解斜視図である。
【図３】本実施例に係る要部の説明図である。
【図４】本実施例に係る要部の説明断面図である。
【図５】本実施例に係る要部の説明断面図である。
【符号の説明】
【００３７】
１  容体
２  デジタル角度センサー
３  収納体
４  面状発熱体
【図１】
2005291801.tif 000003
【図２】
2005291801.tif 000004
【図３】
2005291801.tif 000005
【図４】
2005291801.tif 000006
【図５】
2005291801.tif 000007